(57)【要約】【課題】ユーザによる再生表示装置の登録作業を省略できるコンテンツ記憶装置およびコンテンツ転送方法を提供する。【解決手段】１以上のコンテンツを記憶する記憶手段と、前記記憶手段に記憶されている前記コンテンツに関するコンテンツ情報の取得要求を第１の機器から受信する第１の受信手段と、前記第１の機器からのコンテンツ情報取得要求に対する応答として、コンテンツへアクセスするためのアドレス情報であって、前記第１の機器を特定する情報を含むアドレス情報を含むコンテンツ情報を送信する第１の送信手段と、第２の機器からコンテンツの取得要求を受信した場合であって、該コンテンツ取得要求に含まれるアドレス情報に前記第１の機器を特定する情報が含まれている場合に、当該アドレス情報に対応するコンテンツを前記第２の機器へ送信する第２の送信手段とを有する。【選択図】    図１
2011128892.tif 000002
【特許請求の範囲】
【請求項１】
１以上のコンテンツを記憶する記憶手段と、
前記記憶手段に記憶されている前記コンテンツに関するコンテンツ情報の取得要求を第１の機器から受信する第１の受信手段と、
前記第１の機器からのコンテンツ情報取得要求に対する応答として、コンテンツへアクセスするためのアドレス情報であって、前記第１の機器を特定する情報を含むアドレス情報を含むコンテンツ情報を送信する第１の送信手段と、
第２の機器からコンテンツの取得要求を受信した場合であって、該コンテンツ取得要求に含まれるアドレス情報に前記第１の機器を特定する情報が含まれている場合に、当該アドレス情報に対応するコンテンツを前記第２の機器へ送信する第２の送信手段と、
を有することを特徴とするコンテンツ記憶装置。
【請求項２】
前記第２の送信手段は、前記コンテンツ取得要求に含まれるアドレス情報で特定される前記第１の機器がアクセス可能機器として登録されている場合に、当該アドレス情報に対応するコンテンツを前記第２の機器へ送信することを特徴とする請求項１記載のコンテンツ記憶装置。
【請求項３】
前記第２の機器から受信した前記コンテンツ取得要求に含まれるアドレス情報で特定される前記第１の機器がアクセス可能機器として登録されている場合に、前記第２の装置をアクセス可能機器として登録する登録手段と、
をさらに有することを特徴とする請求項１記載のコンテンツ記憶装置。
【請求項４】
前記第２の送信手段は、前記第２の機器から受信した前記コンテンツ取得要求に含まれるアドレス情報で特定される前記第１の機器がアクセス可能機器として登録されていない場合であって、当該第２の機器がアクセス可能機器として登録されている場合に、当該アドレス情報に対応するコンテンツを前記第２の機器に送信することを特徴とする請求項１記載のコンテンツ記憶装置。
【請求項５】
前記第２の送信手段は、前記第２の機器、及び、当該第２の機器から受信した前記コンテンツ取得要求に含まれるアドレス情報で特定される前記第１の機器が共にアクセス可能機器として登録されていない場合に、当該アドレス情報に対応するコンテンツを前記第２に機器に送信しないことを特徴とする請求項１記載のコンテンツ記憶装置。
【請求項６】
前記第２の送信手段が送信するコンテンツ情報に含まれるアドレス情報に含まれる前記第１の機器を特定する情報は、コンテンツ情報取得要求を受けた機器ごとに異なることを特徴とする請求項１記載のコンテンツ記憶装置。
【請求項７】
前記第２の送信手段が送信するコンテンツ情報に含まれるアドレス情報に含まれる前記第１の機器を特定する情報は、時間によって変化することを特徴とする請求項１記載のコンテンツ記憶装置。
【請求項８】
記憶されている１以上のコンテンツに関するコンテンツ情報の取得要求を第１の機器から受信し、
当該コンテンツ情報取得要求に対する応答として、コンテンツへアクセスするためのアドレス情報であって、前記第１の機器を特定する情報を含むアドレス情報を含むコンテンツ情報を送信し、
第２の機器からコンテンツの取得要求を受信した場合であって、該コンテンツ取得要求に含まれるアドレス情報に前記第１の機器を特定する情報が含まれている場合に、当該アドレス情報に対応するコンテンツを前記第２の機器へ送信する、
ことを特徴とするコンテンツ転送方法。
【発明の詳細な説明】
【技術分野】
【０００１】
この発明は、ネットワークを介してコンテンツを取得する通信技術に関する。
【背景技術】
【０００２】
周知のように、近年、家庭内のデジタルＡＶ（Audio Visual）機器であるデジタルテレビやハードディスクレコーダなどは、ホームネットワークで相互に接続されている。これらのデバイスは、相互に連携して動作するようになっている。このようなホームネットワークは、例えばＤＬＮＡ(Digital Living Network Alliance)規格で定められている。これらのデバイスを相互接続するための仕様としては、ＵＰｎＰ（Universal Plug and Play）が多く用いられている。
【０００３】
ＵＰｎＰでは、デバイスが提供する機能を示すサービスと関連するサービスを提供するデバイスをモデル化したデバイスおよびサービスを利用するコントロールポイントを定義している。ＡＶ機器を対象としたデバイスとしては、メディアサーバ、メディアレンダラなどが定義されている。
【０００４】
ＵＰｎＰ  ＡＶ  Ａｒｃｈｉｔｅｃｔｕｒｅには、コントロールポイントがメディアサーバとメディアレンダラを制御して、メディアサーバが公開するコンテンツをメディアレンダラで再生処理する仕様が定義されている。コントロールポイントは、メディアサーバが公開するコンテンツ情報を取得して、選択したコンテンツの再生処理をメディアレンダラに指示する。メディアレンダラは、指示に基づいてメディアサーバからコンテンツのデータを取得し、再生処理する。
【０００５】
特許文献１には、登録されている再生表示装置のうち、近隣に位置している再生表示機器を選択する制御機器の構成が記載されている。
【先行技術文献】
【特許文献】
【０００６】
【特許文献１】特開２００９−１２９１９４号公報
【発明の概要】
【発明が解決しようとする課題】
【０００７】
しかしながら、特許文献１は、登録されている再生表示機器のうちから選択する構成なので、制御機器の登録の有無にかかわらず、登録されている再生表示機器でなければコンテンツを再生できない。また、機器の登録は、ユーザによる手動であるため、作業が煩雑である。
【０００８】
そこで、この発明は、ユーザによる再生表示装置の登録作業を省略できるコンテンツ記憶装置およびコンテンツ転送方法を提供することを目的とする。
【課題を解決するための手段】
【０００９】
本発明に係るコンテンツ記憶装置は、１以上のコンテンツを記憶する記憶手段と、前記記憶手段に記憶されている前記コンテンツに関するコンテンツ情報の取得要求を第１の機器から受信する第１の受信手段と、前記第１の機器からのコンテンツ情報取得要求に対する応答として、コンテンツへアクセスするためのアドレス情報であって、前記第１の機器を特定する情報を含むアドレス情報を含むコンテンツ情報を送信する第１の送信手段と、第２の機器からコンテンツの取得要求を受信した場合であって、該コンテンツ取得要求に含まれるアドレス情報に前記第１の機器を特定する情報が含まれている場合に、当該アドレス情報に対応するコンテンツを前記第２の機器へ送信する第２の送信手段とを有することを特徴とするコンテンツ記憶装置。
【００１０】
を有する。
【発明の効果】
【００１１】
上記した発明によれば、ユーザによるコンテンツ受信装置の登録作業を省略できるコンテンツ送信装置およびコンテンツ転送方法を提供することができる。
【図面の簡単な説明】
【００１２】
【図１】実施形態に係るコンテンツ記憶装置及びこれに接続されるデバイスを示す図。
【図２】実施形態に係るコンテンツ記憶装置の概略を示すブロック図。
【図３】実施形態に係る再生表示装置の概略を示すブロック図。
【図４】実施形態に係るコンテンツ情報の内容を示す図。
【図５】実施形態に係るコンテンツ記憶装置における登録動作を説明するフローチャート。
【発明を実施するための最良の形態】
【００１３】
以下、本実施形態について図面を参照して説明する。図１は、本実施形態に係るコンテンツ記憶装置及びこれに接続されたデバイスを示す図である。図１は、ＤＬＮＡ規格のメディアサーバ（ＤＭＳ（Digital Media Server））、コントロールポイント（ＤＭＣ（Digital Media Controller））、メディアレンダラ（ＤＭＲ（Digital Media Renderer））による３ＢＯＸ構成を示す図である。
【００１４】
本実施形態では、ＤＭＳであるコンテンツ記憶装置の例としてハードディスクレコーダ１、ＤＭＲである再生表示装置の例としてデジタルテレビ２、ＤＭＣである制御装置の例として携帯端末３を用いて説明するが、これに限られない。ハードディスクレコーダ１、デジタルテレビ２、携帯端末３は、相互に無線通信可能である。
【００１５】
ハードディスクレコーダ１は、放送波などのコンテンツを記憶する。ハードディスクレコーダ１は、記憶しているコンテンツのタイトルをＤＬＮＡ規格により通信可能な他のデバイスに公開するＤＭＳとして動作する。携帯端末２は、ＤＭＳとＤＭＲを制御するＤＭＣとして動作する。デジタルテレビ１は、ＤＭＳから取得したコンテンツを再生処理するＤＭＲとして動作する。また、デジタルテレビ３は、ＤＭＳに対するＤＭＣとしても動作する。
【００１６】
次に、本実施形態に係るハードディスクレコーダ１の構成について説明する。図２は、ハードディスクレコーダ１の構成を示すブロック図である。ハードディスクレコーダ１は、送受信モジュール１０１、制御モジュール１０２、設定モジュール１０３、メモリ１０４、チューナ１０５、デコーダ１０６，ＨＤＤ（Hard disk drive）１０７を有する。
【００１７】
送受信モジュール１０１は、ＵＰｎＰのメッセージやコンテンツのデータをデジタルテレビ２及び携帯端末３と送受信する。送受信モジュール１０１は、制御モジュール１０２と接続されている。制御モジュール１０２は、送受信モジュール１０１を介して受信したＵＰｎＰのメッセージを処理する。設定モジュール１０３は、ユーザによりハードディスクレコーダ１に対する各種設定を入力される。
【００１８】
メモリ１０４は、ハードディスクレコーダ１の動作プログラム及びＤＬＮＡ規格によりハードディスクレコーダ１に対するアクセス可能機器の情報を記憶する。ユーザは、手動でアクセス可能機器を設定する場合、設定モジュール１０３を用いて設定できる。チューナ１０５は、アンテナ４０で受信した放送信号から所定の周波数の信号を選局して復調する。デコーダ１０６は、チューナ１０５で復調された信号をデコード処理する。ＨＤＤ１０５は、チューナ１０５で選局した放送信号に対応するコンテンツなど、各種コンテンツを記憶する。
【００１９】
次に、本実施形態に係るデジタルテレビ２の構成について説明する。図３はデジタイルテレビ２の構成を示すブロック図である。デジタルテレビ２は、チューナ２０１、デコーダ２０２、制御モジュール２０３、映像処理モジュール２０４、音声処理モジュール２０５、モニタ２０６、スピーカ２０７、ＯＳＤ(On screen display)モジュール２０８、設定モジュール２０９、メモリ２１０、送受信モジュール２１１を有する。
【００２０】
チューナ２０１は、アンテナ５０で受信した放送信号から所定の周波数の信号を選局して復調する。デコーダ２０２は、チューナ２０１で復調された信号をデコード処理する。制御モジュール２０３は、デコーダ２０２でデコードされた信号のうち映像信号を映像処理モジュール２０４に、音声信号を音声処理モジュール２０５に出力する。
【００２１】
映像処理モジュール２０４は、映像信号に対してモニタ２０６に表示するために映像処理する。制御モジュール２０３は、映像処理モジュール２０４で映像処理された映像信号をモニタ２０６に表示制御する。音声処理モジュール２０５は、音声信号に対してスピーカ２０７から出力するために音声処理する。制御モジュール２０３は、音声処理モジュール２０５で音声処理された音声信号をスピーカ２０７に出力制御する。ＯＳＤモジュール２０８は、制御モジュール２０３からの指示に従い、モニタ２０６の画面上に表示するグラフィックデータを生成する。ＯＳＤモジュール２０６は、映像処理モジュール２０４にグラフィックデータを出力する。ＯＳＤモジュール２０６は、グラフィックデータとして例えばメニュー画面などを生成する。設定モジュール２０９は、ユーザによりデジタルテレビ２に対する各種設定を入力される。制御モジュール２０７は、各部を制御する。メモリ２１０は、各種情報を記憶する。
【００２２】
送受信モジュール２１１は、ＵＰｎＰのメッセージやコンテンツのデータをコンテンツ記憶装置１及び携帯端末３と送受信する。送受信モジュール２１１は、制御モジュール１０２と接続されている。
【００２３】
次に、図１を用いて、携帯端末３がＤＭＳに対するＤＭＣとして動作し、ＤＭＳとして動作するハードディスクレコーダ１で記憶しているコンテンツを、ＤＭＲとして動作するデジタルテレビ２で再生処理させるＤＬＮＡ規格の３ＢＯＸ構成における動作について説明する。
【００２４】
はじめに、ユーザは、携帯端末３で所望のＤＭＳを選択する。また、ユーザは、ＤＭＳが公開するコンテンツを再生処理するＤＭＲを選択する。ここでは、ユーザが、ＤＭＳとしてハードディスクレコーダ１、ＤＭＲとしてデジタルテレビ２を選択した場合について説明する。
【００２５】
ここで、ハードディスクレコーダ１は、記憶しているビデオ（動画）やイメージ（写真）などのコンテンツを公開し、携帯端末３がハードディスクレコーダ１で記憶しているコンテンツを取得できるようにしている。ハードディスクレコーダ１は、コンテントディレクトリサービス(Content directory service、以降ＣＤＳと称す)を用いて、記憶してるコンテンツを公開している。コンテンツそれぞれには、ＣＤＳ内で一意のｏｂｊｅｃｔ  ＩＤと呼ばれる識別子が付与されている。
【００２６】
ユーザは、携帯端末３を用いてハードディスクレコーダ１で管理されているコンテンツのリストをＣＤＳのＢｒｏｗｓｅアクションによって取得する。携帯端末３は、ハードディスクレコーダ１に対するＣＤＳのＢｒｏｗｓｅアクションリクエストにより、ハードディスクレコーダ１のＨＤＤ１０７に記憶されているコンテンツ情報の取得を要求する。ＣＤＳでは、ＨＤＤ１０７に記憶されているコンテンツをコンテナ(container)とアイテム(item)とによって、ディレクトリ構造に類似するツリー構造として公開される。携帯端末３は、例えばコンテナ単位等でＣＤＳのＢｒｏｗｓｅアクションリクエストを要求する。
【００２７】
若しくは、携帯端末３からハードディスクレコーダ１へのコンテンツ情報の取得方法としては、Ｓｅａｒｃｈアクションリクエストを使用しても良い。Ｓｅｒｃｈアクションリクエストを使用する場合、条件を指定してリクエストを出すことにより、条件に合致するコンテンツに関するコンテンツ情報のリストを取得することができる。
【００２８】
ハードディスクレコーダ１の制御モジュール１０２は、Ｂｒｏｗｓｅアクションリクエストが要求されたコンテナに含まれるアイテムに対応するコンテンツそれぞれのコンテンツ情報をメモリ１０４から読み出す。コンテンツ情報は、図４に示すように、再生対象コンテンツのタイトル名、作成された日付、ＣＤＳ内での識別子であるｏｂｊｅｃｔ  ＩＤ、機器種別を示すクラスなどの属性情報、再生対象コンテンツのデータ転送に用いるＵＲＩ（Uniform resource identifier）情報で構成される。
【００２９】
ここで、ＵＲＩ情報は、ハードディスクレコーダ１のＨＤＤ１０７に記憶されたコンテンツに対し、ネットワークに接続された外部装置からアクセスするための記憶場所を示す識別子（アドレス）である。制御モジュール１０２は、Ｂｒｏｗｓｅアクションリクエストが要求されたコンテンツそれぞれについて、ＵＲＩ情報に携帯端末３を特定する情報を付加する。制御モジュール１０２は、ＤＭＣを特定する情報を付加したＵＲＩ情報の生成手段として機能する。
【００３０】
ハードディスクレコーダ１の制御モジュール１０２は、属性情報及びＤＭＣを特定する情報を付加したＵＲＩ情報を含むコンテンツ情報をＢｒｏｗｓｅアクションリクエストが要求されたコンテナ等に含まれるアイテムの数だけ送受信モジュール１０１を介してＣＤＳのＢｒｏｗｓｅアクションレスポンスとして携帯端末３に送信する。制御モジュール１０２及び送受信モジュール１０１は、送信手段として機能する。
【００３１】
図４に示す一例では、ＵＲＩ情報として「ｈｔｔｐ：・・１９２．・・・４４５５」と記載されている。このうち、「１９２．１・・・ｍｐｇ」については、どの外部装置から当該ＣＤＳへアクセスを受けた場合でも共通に付与されるアドレスであるが、、これ以降の「？ｄｍｃ・・・４４５５」がＤＭＣを特定する情報である。つまり、制御モジュール１０２は、コンテンツ情報の取得要求を受けたＤＭＣごとに異なるＤＭＣを特定する情報を付加する。
【００３２】
ユーザは、ＣＤＳのＢｒｏｗｓｅアクションによって取得したコンテンツリストからデジタルテレビ２で再生処理する再生対象コンテンツを選択する。再生対象コンテンツは、複数であってもよい。携帯端末３は、Ｂｒｏｗｓｅアクションレスポンスで取得したコンテンツ情報のうち再生対象コンテンツのコンテンツ情報をデジタルテレビ１に通知する。さらに、携帯端末３は、デジタルテレビ２による再生対象コンテンツの再生処理を制御するために、デジタルテレビ２のＡＶトランスポートサービス(ＡＶＴと称す)を利用する。メディアレンダラのＡＶＴは、再生対象コンテンツの再生処理を制御するためのいくつかのアクションを提供する。
【００３３】
携帯端末３は、デジタルテレビ２のＡＶＴのＳｅｔＡＶＴｒａｎｓｐｏｒｔＵＲＩアクションリクエストを呼び出して再生対象コンテンツのコンテンツ情報をデジタルテレビ１に通知する。ＳｅｔＡＶＴｒａｎｓｐｏｒｔＵＲＩアクションは、コンテンツ情報をデジタルテレビ２に設定する。また、携帯端末３は、デジタルテレビ２のＡＶＴのＰｌａｙアクションリクエストを呼び出して再生対象コンテンツの再生指示をデジタルテレビ２に通知する。Ｐｌａｙアクションは再生対象コンテンツの再生指示をデジタルテレビ２に設定する。
【００３４】
デジタルテレビ２の制御モジュール２０３は、ＳｅｔＡＶＴｒａｎｓｐｏｒｔＵＲＩアクションが呼び出されると、コンテンツ情報をメモリ２１０に記憶する。その後、デジタルテレビ２は、携帯端末３に対してＡＶＴのＳｅｔＡＶＴｒａｎｓｐｏｒｔＵＲＩレスポンスを送信する。
【００３５】
その他、ＡＶＴは、再生対象コンテンツの再生停止をＤＭＲに設定するＳｔｏｐアクション、再生対象コンテンツの一時停止をＤＭＲに設定するＰａｕｓｅアクションなども提供できる。
【００３６】
デジタルテレビ２は、ＳｅｔＡＶＴｒａｎｓｐｏｒｔＵＲＩアクションで通知されたハードディスクレコーダ１に記憶されている再生対象コンテンツに対応するＵＲＩ情報に基づいて、ハードディスクレコーダ１にＨＴＴＰＧＥＴリクエストを送信する。つまり、デジタルテレビ２の制御モジュール２０７は、ＵＲＩ情報に基づいてハードディスクレコーダ１が公開するコンテンツのうち再生対象コンテンツの取得を送受信モジュール２１１を介してハードディスクレコーダ１に要求する。
【００３７】
次に、ハードディスクレコーダ１が再生対象コンテンツの取得要求を受信した場合におけるアクセス可能機器の登録及び再生対象コンテンツの送信について図５に示すフローチャートを用いて説明する。
【００３８】
ハードディスクレコーダ１の制御モジュール１０２は、デジタルテレビ２から再生対象コンテンツの取得要求を送受信モジュール１０１を介して受信する（ステップＳ１０１）。制御モジュール１０２及び送受信モジュール１０１は、受信手段として機能する。制御モジュール１０２は、ＵＲＩ情報からＤＭＣを特定する情報を取得する（ステップＳ１０２）。制御モジュール１０２は、ＤＭＣを特定する情報に基づいて、デジタルテレビ２を制御しているＤＭＣが携帯端末３であると特定する。
【００３９】
次に、制御モジュール１０２は、携帯端末３がアクセス可能機器としてメモリ１０４に登録されているか否か判断する（ステップＳ１０３）。制御モジュール１０２はＤＭＣがアクセス可能機器として登録されているか否かの判断手段として機能する。制御モジュール１０２は、ＤＭＣを特定する情報を解析することで、デジタルテレビ２から送信された再生対象コンテンツの取得要求がどのＤＭＣを経由しているのかを容易に判別できる。
【００４０】
携帯端末３がアクセス可能機器として登録されていない場合（ステップＳ１０３、ＮＯ）、制御モジュール１０２は、デジタルテレビ２をアクセス可能機器としてメモリ１０４に登録することもなく、ＵＲＩ情報に基づく再生対象コンテンツのデータをデジタルテレビ２に送信することもない（ステップＳ１０４）。
【００４１】
携帯端末３がアクセス可能機器として登録されている場合（ステップＳ１０３、ＹＥＳ）、制御モジュール１０２は、デジタルテレビ２からＭＡＣ（Media access control）アドレスを取得し、デジタルテレビ２をアクセス可能機器としてメモリ１０４に登録する（ステップＳ１０５）。制御モジュール１０２及びメモリ１０４は、ＤＭＲをアクセス可能機器としての登録手段として機能する。デジタルテレビ２がすでにアクセス可能機器として登録されている場合、制御モジュール１０２は、ＭＡＣアドレスの取得及びデジタルテレビ２の登録を要しない。
【００４２】
そして、制御モジュール１０２は、ＵＲＩ情報に基づいて再生対象コンテンツのデータをＨＤＤ１０５から取得し、ＨＴＴＰレスポンスにより送受信モジュール１０１を介してデジタルテレビ２に送信する（ステップＳ１０６）。制御モジュール１０１及び送受信モジュール１０１は、再生対象コンテンツの転送手段として機能する。
【００４３】
デジタルテレビ２は、ハードディスクレコーダ１から再生対象コンテンツのデータを取得すると、携帯端末３による再生対象コンテンツの再生指示に基づいて再生対象コンテンツを再生処理する。制御モジュール２０３は、ハードディスクレコーダ１から取得した再生対象コンテンツのデータ部分を映像処理モジュール２０４、音声処理モジュール２０５に出力する。制御モジュール２０３は、再生対象コンテンツをモニタ１１０に表示制御する。
【００４４】
本実施形態では、ハードディスクレコーダ１は、ＵＲＩ情報にＤＭＣを特定する情報を付加しているが、コンテンツ情報をＤＭＣに送信する日時によってＤＭＣを特定する情報を異なるように生成してもよい。つまり、ハードディスクレコーダ１は、同一のＤＭＣであっても、そのＤＭＣに送信する日時が異なれば、ＤＭＣを特定する情報も異なる。ハードディスクレコーダ１は、携帯端末３にコンテンツ情報を送信した後、所定時間内にデジタルテレビ２からこのコンテンツ情報に基づくコンテンツの取得要求を受信しない場合、ＤＭＣを特定する情報に基づいてＤＭＣが携帯端末３であると特定できなくなる。したがって、ハードディスクレコーダ１は、有効時間が設定されていることで第三者によるＤＭＣを特定する情報の不正取得を防止できるため、セキュリティの面で有効となる。
【００４５】
本実施形態によれば、ＤＭＳは、再生対象コンテンツの再生指示を受けたＤＭＲがどのＤＭＣによって制御されているのかをＵＲＩ情報に基づいて知ることができる。また、ＤＭＳは、ＤＭＣが予めアクセス可能機器として登録されている場合、登録済みのＤＭＣによって制御されたＤＭＲについても、アクセス可能機器として自動的に登録する。つまり、ＤＭＣが登録されていれば、ＤＭＲは、その登録の有無を問わずにコンテンツを再生できる。したがって、ユーザは、ＤＬＮＡ規格に対応したＤＭＣ、ＤＭＲの台数分ＤＭＳに対してアクセス可能機器としてＭＡＣアドレスを登録する煩雑な作業を必要としなくなり、登録作業が容易となる。
【００４６】
さらに、アクセス可能機器としてＤＭＳに登録されたＤＭＲは、ＤＭＳに直接アクセス可能であると共に、登録されていないＤＭＣによって制御された場合であってもＤＭＳにアクセス可能である。また、ＤＭＣ及びＤＭＲは、ＤＭＳがＵＲＩ情報に付加したＤＭＣを特定する情報について動作処理上意識する必要が無い。そのため、既存のＤＭＣ、ＤＭＲとの組み合わせにおいても本実施形態は互換性を損なわない。
【００４７】
なお、この発明は上記した実施の形態そのままに限定されるものではなく、実施段階ではその要旨を逸脱しない範囲で構成要素を種々変形して具体化することができる。また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係る構成要素を適宜組み合わせても良いものである。
【符号の説明】
【００４８】
１…ハードディスクレコーダ、２…デジタルテレビ、３…携帯端末、１０１…送受信モジュール、１０２…制御モジュール、１０３…設定モジュール、１０４…メモリ、１０５…チューナ、１０６…デコーダ、１０７…ＨＤＤ、２０３…制御モジュール、２０８…映像処理モジュール、２０６…モニタ、２１０…メモリ、２１１…送受信モジュール。
【図１】
2011128892.tif 000003
【図２】
2011128892.tif 000004
【図３】
2011128892.tif 000005
【図４】
2011128892.tif 000006
【図５】
2011128892.tif 000007